【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
入力された印刷ジョブに基づいて記録紙上に画像形成する画像形成装置であって、
所定のユーザが前記画像形成装置にログイン中であっても、前記所定のユーザとは異なるユーザからのユーザ情報を入力可能な入力手段と、
前記入力手段によりユーザ情報が入力されたユーザに関する所定の処理のうち前記画像形成を伴わない前処理を、前記所定のユーザが前記画像形成装置にログイン中に行う前処理手段と、
を有することを特徴とする画像形成装置。
【請求項２】
前記所定のユーザが前記画像形成装置にログイン中に前記入力手段によりユーザ情報が入力されたユーザに関する所定の処理を予約する予約手段を更に有し、
前記前処理手段は、前記予約手段によって予約された所定の処理のうち前記画像形成を伴わない前処理を行うことを特徴とする請求項１記載の画像形成装置。
【請求項３】
前記所定のユーザによる前記画像形成装置へのログインが解除された後、前記予約手段によって予約されている所定の処理のうち、前記前処理手段によって前処理された残りの処理を行う後処理手段を更に有することを特徴とする請求項２記載の画像形成装置。
【請求項４】
前記所定のユーザによる前記画像形成装置へのログインが解除された後、前記予約手段によって所定の処理が予約されているユーザを認証するためのユーザ認証情報を入力させる再入力手段を更に有し、
前記後処理手段は、前記再入力手段によって前記ユーザ認証情報が入力された場合、前記残りの処理を行うことを特徴とする請求項３に記載の画像形成装置。
【請求項５】
前記前処理手段は、前記予約手段により所定の処理が予約されているユーザのユーザ情報に基づいて特定される印刷ジョブのうち、所定の条件に適合する印刷ジョブの前処理を行うことを特徴とする請求項２乃至４のいずれかに記載の画像形成装置。
【請求項６】
前記所定の条件は、過去所定時間以内に登録された印刷ジョブを選択する条件，最も最近に登録された所定数の印刷ジョブを選択する条件，所定の優先情報の付与された印刷ジョブを選択する条件，前記画像形成装置の画像形成能力と適合度の高い印刷ジョブを選択する条件のいずれかを含むことを特徴とする請求項５記載の画像形成装置。
【請求項７】
前記後処理手段は、前記再入力手段により入力されたユーザ認証情報により特定される前記印刷ジョブの一覧を表示して処理する印刷ジョブを選択させ、該選択された印刷ジョブの処理を行うことを特徴とする請求項４記載の画像形成装置。
【請求項８】
前記印刷ジョブの一覧は、各印刷ジョブの前処理状況も表示することを特徴とする請求項７記載の画像形成装置。
【請求項９】
前記予約手段は、複数のユーザに対して所定の処理を予約可能なことを特徴とする請求項２乃至８のいずれかに記載の画像形成装置。
【請求項１０】
前記所定の処理は、ネットワーク上の所定の記録場所に登録されている印刷ジョブをダウンロードし、画像形成するプルプリント処理であることを特徴とする請求項１乃至９のいずれかに記載の画像形成装置。
【請求項１１】
前記所定の処理は、ネットワーク上の外部装置に登録されている印刷ジョブをダウンロードし、画像形成するプルプリント処理であり、
前記前処理手段は、前記予約手段により所定の処理が予約されているユーザのユーザ情報に基づいて特定される前記外部装置に登録されている印刷ジョブをダウンロードすることを特徴とする請求項２乃至９のいずれかに記載の画像形成装置。
【請求項１２】
前記外部装置は、印刷ジョブを特定の画像形成装置に依存しない汎用形式で保持し、該特定の画像形成装置に依存しない汎用形式の印刷ジョブから前記画像形成装置に依存した形式のデータを生成して前記画像形成装置に送信するものであり、
前記前処理手段は、前記予約手段により所定の処理が予約されているユーザのユーザ情報に基づいて特定される前記外部装置に登録されている印刷ジョブを前記画像形成装置に依存した形式のデータとしてダウンロードすることを特徴とする請求項１１に記載の画像形成装置。
【請求項１３】
前記前処理手段は、前記外部装置に対して、前記画像形成装置に依存した形式のデータを生成するための情報を送信することを特徴とする請求項１２記載の画像形成装置。
【請求項１４】
前記外部装置は、印刷ジョブを特定の画像形成装置に依存しない汎用形式で保持するものであり、
前記前処理手段は、前記予約手段により所定の処理が予約されているユーザのユーザ情報に基づいて特定される前記外部装置に登録されている印刷ジョブを前記画像形成装置に依存しない汎用形式のデータとしてダウンロードし、該汎用形式のデータから前記画像形成装置に依存した形式のデータを生成することを特徴とする請求項１２記載の画像形成装置。
【請求項１５】
前記前処理手段は、前記画像形成装置に依存した形式のデータをラスタイメージデータに展開することを特徴とする請求項１２乃至１４のいずれかに記載の画像形成装置。
【請求項１６】
前記予約手段により所定の処理が予約されているユーザに対応する所定の宛先に、前記所定のユーザによる前記画像形成装置へのログインが解除された旨の通知を送信する第１の通知手段を設けたとを特徴とする請求項２乃至１５のいずれかに記載の画像形成装置。
【請求項１７】
前記入力手段は、所定の記憶媒体に記憶されるユーザ情報を読み取ることによりユーザ情報を入力するものであり、
前記再入力手段は、前記入力手段及び／又は画像形成装置の操作手段でユーザ認証情報を入力することを特徴とする請求項４記載の画像形成装置。
【請求項１８】
前記入力手段は、外部装置から通信によりユーザ情報を入力するものであり、
前記再入力手段は、画像形成装置の操作手段でユーザ認証情報を入力することを特徴とする請求項４記載の画像形成装置。
【請求項１９】
前記再入力手段は、前記所定のユーザによる前記画像形成装置へのログインが解除された後の所定の期間内は、前記予約手段により予約されているユーザを認証するユーザ認証情報以外の入力は受け付けないように前記操作手段を制御することを特徴とする請求項１７又は１８記載の画像形成装置。
【請求項２０】
前記所定のユーザによる前記画像形成装置へのログインが解除された後の所定の期間内に、前記再入力手段から前記予約手段により所定の処理が予約されているユーザのユーザ認証情報が入力されなかった場合には、該ユーザに対応する予約並びに該ユーザに対応する前記前処理された印刷ジョブを削除する第１の削除手段と、
前記第１の削除手段により該ユーザの予約が削除された旨の通知を、該ユーザに対応する所定の宛先に、送信する第２の通知手段と、
を設けたとを特徴とする請求項４、１７乃至１９のいずれかに記載の画像形成装置。
【請求項２１】
前記再入力手段は、前記予約手段により所定の処理が予約されているユーザを認証するユーザ認証情報を入力させて前記画像形成装置にログインさせるものであり、
画像形成装置からログアウト時には、該ユーザに対応する予約並びに該ユーザに対応する前記前処理された印刷ジョブを削除する第２の削除手段を有することを特徴とする請求項４、１７乃至２０のいずれかに記載の画像形成装置。
【請求項２２】
複数の印刷ジョブを登録するサーバ装置と、前記サーバ装置に登録される印刷ジョブに基づいて記録紙上に画像形成する画像形成装置とを有するプリントシステムであって、
前記画像形成装置は、
所定のユーザが前記画像形成装置にログイン中であっても、前記所定のユーザとは異なるユーザからのユーザ情報を入力可能な入力手段と、
前記入力手段によりユーザ情報が入力されたユーザに関する所定の処理のうち前記画像形成を伴わない前処理を、前記所定のユーザが前記画像形成装置にログイン中に行う前処理手段と、
を有することを特徴とするプリントシステム。
【請求項２３】
入力された印刷ジョブに基づいて記録紙上に画像形成する画像形成装置の制御方法であって、
所定のユーザが前記画像形成装置にログイン中であっても、前記所定のユーザとは異なるユーザからのユーザ情報を入力可能な入力ステップと、
前記入力ステップによりユーザ情報が入力されたユーザに関する所定の処理のうち前記画像形成を伴わない前処理を、前記所定のユーザが前記画像形成装置にログイン中に行う前処理ステップと、
を有することを特徴とする画像形成装置の制御方法。
【請求項２４】
所定の記録場所に登録される印刷ジョブのプルプリントを操作手段から指示し、該プルプリント指示された前記印刷ジョブを画像形成処理する画像形成装置の制御方法であって、
ユーザ情報を前記操作手段以外から入力する入力ステップと、
該入力されるユーザ情報により特定されるユーザに対してプルプリント処理を予約する予約ステップと、
該予約されているユーザのユーザ情報に基づいて特定される前記所定の記録場所に登録されている印刷ジョブのプルプリント処理のうち画像形成を伴わない前処理を行う前処理ステップと、
前記前処理とは非同期に、前記予約されているユーザを認証するユーザ認証情報を入力する再入力ステップと、
該再入力されたユーザ認証情報により特定される前記印刷ジョブのプルプリント処理を、前記前処理された残りの処理から行う後処理ステップと、
を有することを特徴とする画像形成装置の制御方法。
【請求項２５】
請求項２３又は２４に記載された画像形成装置の制御方法をコンピュータに実行させるためのプログラム。